(57)【要約】【課題】皿部材内にある遊技球を容易に掴み出すことができるパチンコ機を提供する。【解決手段】受け皿３２の前縁に、受け皿３２底面から前方へ上昇する傾斜面４０ａを備えた案内部材４０を設けた。したがって、傾斜面４０ａを利用することで受け皿３２内にある遊技球をスムーズに掴み出すことができる。また、案内部材４０を、内部に空間を有するカバー状に形成するとともに、ボタン３７の後方となる位置に設けた。したがって、案内部材４０を設置したことにより形成される空間内に、ボタン３７からスライド板３８にかけてのスライド機構を位置させることができ、空間の有効利用を図った合理的な構成とすることができる。【選択図】図６
2010246606.tif 000002
【特許請求の範囲】
【請求項１】
本体の前面に、遊技球を貯留可能な皿部材を備えたパチンコ機であって、
前記皿部材の前縁に沿って、前記前縁の上端際から前記皿部材の底面にかけて前記皿部材の内方へ向かうにしたがい下降傾斜する傾斜面を形成したことを特徴とするパチンコ機。
【請求項２】
前記皿部材に、前記皿部材から遊技球を抜くための球抜き孔、及び当該球抜き孔を開閉する開閉部材が設けられているとともに、前記皿部材の前面に、前記開閉部材を作動させるためのボタンが設けられたパチンコ機であって、
前記傾斜面が前記ボタンの後方位置に設けられ、前記傾斜面の下方空間に前記ボタンと前記開閉部材とを連結する開閉機構を位置させたことを特徴とする請求項１に記載のパチンコ機。
【請求項３】
前記傾斜面が前記前縁の一部に形成されているとともに、前記傾斜面の側縁に、前記傾斜面よりも上方へ突出する凸条部が設けられていることを特徴とする請求項１又は２に記載のパチンコ機。
【発明の詳細な説明】
【技術分野】
【０００１】
本発明は、遊技球を遊技領域内へ打ち込んで遊技するパチンコ機に関するものである。
【背景技術】
【０００２】
従来、一般的な遊技機では、遊技機本体の前面下部に、遊技球を発射装置に供給するための供給皿や供給皿から溢れた遊技球を貯留するための貯留皿等といった皿部材が設けられている（たとえば、特許文献１）。
【先行技術文献】
【特許文献】
【０００３】
【特許文献１】特開２００６−１６７１２５号公報
【発明の概要】
【発明が解決しようとする課題】
【０００４】
従来の遊技機、特に供給皿及び貯留皿の両皿部材を備えてなる遊技機では、遊技中、貯留皿に払い出された遊技球を供給皿へ移したい場合がある。この場合、遊技者が貯留皿内にある遊技球を手で掴み出して、供給皿へ移すことになる。しかしながら、従来の遊技機では、当該作業を補助するような構成を何ら備えていないため、皿部材内の遊技球を掴みにくい、掴み出す際にこぼれ落ちやすい等の問題がある。
【０００５】
そこで、本発明は、上記問題に鑑みなされたものであって、皿部材内にある遊技球を容易に掴み出すことができるパチンコ機を提供しようとするものである。
【課題を解決するための手段】
【０００６】
上記目的を達成するために、本発明のうち請求項１に記載の発明は、本体の前面に、遊技球を貯留可能な皿部材を備えたパチンコ機であって、前記皿部材の前縁に沿って、前記前縁の上端際から前記皿部材の底面にかけて前記皿部材の内方へ向かうにしたがい下降傾斜する傾斜面を形成したことを特徴とする。
請求項２に記載の発明は、請求項１に記載の発明において、前記皿部材に、前記皿部材から遊技球を抜くための球抜き孔、及び当該球抜き孔を開閉する開閉部材が設けられているとともに、前記皿部材の前面に、前記開閉部材を作動させるためのボタンが設けられたパチンコ機であって、前記傾斜面が前記ボタンの後方位置に設けられ、前記傾斜面の下方空間に前記ボタンと前記開閉部材とを連結する開閉機構を位置させたことを特徴とする。
請求項３に記載の発明は、請求項１又は２に記載の発明において、前記傾斜面が前記前縁の一部に形成されているとともに、前記傾斜面の側縁に、前記傾斜面よりも上方へ突出する凸条部が設けられていることを特徴とする。
【発明の効果】
【０００７】
本発明によれば、皿部材の前縁に沿って、前縁の上端際から皿部材の底面にかけて皿部材の内方へ向かうにしたがい下降傾斜する傾斜面を形成しているため、当該傾斜面を利用することで皿部材内にある遊技球をスムーズに掴み出すことができる。
また、請求項２に記載の発明によれば、傾斜面が開閉部材を作動させるボタンの後方位置に設けられ、傾斜面の下方空間にボタンと開閉部材とを連結する開閉機構を位置させているため、空間の有効利用を図った合理的な構成とすることができる。
さらに、請求項３に記載の発明によれば、傾斜面が前縁の一部に形成されているとともに、傾斜面の側縁に、傾斜面よりも上方へ突出する凸条部が設けられているため、掻き出している途中で遊技球が傾斜面上からこぼれ落ちる事態を抑制することができ、一回の動作で多くの遊技球を掴み出すことが可能となる。
【図面の簡単な説明】
【０００８】
【図１】パチンコ機を前面側から示した説明図である。
【図２】パチンコ機を後面側から示した説明図である。
【図３】貯留皿の正面を示した説明図である。
【図４】貯留皿を上方から示した説明図である。
【図５】貯留皿を正面側上方から示した斜視説明図である。
【図６】貯留皿の図４中Ａ−Ａ線での断面を示した説明図である。
【発明を実施するための形態】
【０００９】
以下、本発明の一実施形態となるパチンコ機について、図面にもとづき詳細に説明する。
【００１０】
まず、パチンコ機１全体の構成について説明する。図１は、パチンコ機１を前面側から示した説明図であり、図２は、パチンコ機１を後面側から示した説明図である。
パチンコ機１は、遊技盤２の前面に形成された遊技領域２ａ内へ遊技球を打ち込み、遊技領域２ａ内を流下させて遊技するものであって、遊技盤２は、支持体として機能する機枠３の前面上部に、金属製のフレーム部材であるミドル枠５を介して設置されている。また、遊技盤２の前方には、ガラス扉を嵌め込み設置してなる前扉４が、左端縁を軸として片開き可能に機枠３に蝶着されており、該前扉４によって閉塞される遊技盤２の前方空間が遊技領域２ａとされている。
【００１１】
遊技領域２ａは、遊技盤２の前面に円弧状に配設された外レール及び内レール（図示せず）等によって囲まれており、両レール間が遊技球を遊技領域２ａ内へ打ち込むための発射通路とされている。また、遊技領域２ａの略中央には、「０」〜「９」の数字や絵柄等からなる「図柄」の表示領域となる図柄表示部６が設けられている。さらに、遊技領域２ａには、図示しない多数の遊技釘、遊技球が通過可能なゲート部材、一対の爪片を開閉動作可能に備えたチューリップ式電動役物、開閉可能な扉部材を有する大入賞装置、３つの入賞口を有する入賞部材、風車等が設置されている。
【００１２】
また、機枠３の前面側であって上記遊技盤２の下方には、遊技球を発射装置１０へ供給するための供給皿７、及び供給皿７から溢れた遊技球を貯留するための貯留皿８が機枠３に対して夫々片開き可能に取り付けられている。さらに、貯留皿８の右側には、発射装置１０を作動させるためのハンドル（図示せず）が回動操作可能に設置されている。
【００１３】
一方、機枠３の後面側には、供給皿７へ貸球や賞品球として払い出される遊技球を貯留するための貯留タンク１１、当該貯留タンク１１と連結された払い出し装置１２、図柄表示部６に「図柄」を表示させるための液晶表示装置（図示せず）、払い出し装置１２や液晶表示装置等の動作を統合的に制御するサブ統合基板を内蔵したサブ制御装置（図示せず）が設置されているとともに、遊技に係る制御（たとえば、所謂「大当たり抽選」等）を実行するためのメイン制御基板２１を内蔵してなる主制御装置２０が設置されている。
【００１４】
以上のようなパチンコ機１では、遊技者によってハンドルが回動操作されると、発射装置１０が作動して遊技球が遊技領域２ａ内へ打ち込まれる。そして、遊技領域２ａ内を流下する遊技球がチューリップ式電動役物へ入賞すると、メイン制御基板２１にて「大当たり抽選」を行い、所謂「大当たり」である場合には、図柄表示部６に「図柄」を所定態様（たとえば、「７、７、７」等）で表示させた後、大入賞装置の扉部材を所定回数にわたって断続的に開成させるといった所謂「大当たり状態」を生起させる。
【００１５】
次に、本発明の要部となる貯留皿８について、図３〜図６をもとに説明する。図３は貯留皿８の正面を示した説明図、図４は貯留皿８を上方から示した説明図、図５は、貯留皿８を正面側上方から示した斜視説明図である。また、図６は、貯留皿８の図４中Ａ−Ａ線での断面を示した説明図である。
貯留皿８は、基台３１と、該基台３１から前方へ突設された受け皿３２とからなる。基台３１において、受け皿３２の背面となる位置には排出口３３が開設されており、供給皿７から溢れた遊技球は、貯留皿８の後方に設置される誘導路（図示せず）を介して排出口３３から受け皿３２内へ排出される。また、基台３１の右部には、ハンドルを取り付けるためのハンドル孔３４が開設されており、基台３１の後部には、貯留皿８を機枠３の前面下部に係止するための係止片３５、３５が設けられている。
【００１６】
受け皿３２は、略中央が最深となる凹状に形成された底面を、前壁３２ａ、一対の側壁３２ｂ、３２ｂ、及び基台３１によって囲まれてなる。該受け皿３２底面の中央（底部）には、受け皿３２内に貯まった遊技球を抜くための球抜き孔３６が開設されている。当該球抜き孔３６は、通常、スライド板３８（図６に示す）によって塞がれている。また、前壁３２ａには、スライド板３８を作動させ球抜き孔３６を開閉するためのボタン３７が設けられている。ボタン３７は、球抜き孔３６の前方位置に取り付けられているとともに、貯留皿８の前方から押し込み操作可能となっており、バネ５０の付勢力に抗して後方へ押し込み操作することにより、スライド板３８が作動し、球抜き孔３６が開放する。一方、ボタン３７の押し込みを解除すると、バネ５０の付勢により、ボタン３７が初期位置へ復帰するとともに、スライド板３８が作動して球抜き孔３６が閉塞されることになる。
【００１７】
さらに、前壁３２ａの内側で、球抜き孔３６の前方且つボタン３７の後方となる位置には、後方（受け皿３２内方）へ向かって徐々に下降傾斜する傾斜面４０ａを備えた案内部材４０が取り付けられている。該案内部材４０は、傾斜面４０ａの左右両側にそれぞれ略三角形状の側面４０ｂを設けてなるカバー状に形成されており、図６に示す如く、案内部材４０を設置したことで形成される空間（案内部材４０の下方空間）内に、スライド板３８をスライドさせるスライド機構（バネ５０等を含む）の一部が位置した状態となっている。また、上記側面４０ｂは前壁３２ａの内面から後方へ突出する形状となっており、前壁３２ａの内面と案内部材４０の側面４０ｂとの間に隅部が形成されている。一方、傾斜面４０ａは、後方へ向かって徐々に幅狭となる平面視台形状に形成されており、その左右側縁に沿って傾斜面４０ａよりも上方へ突出する凸条部４１、４１が設けられている。また、傾斜面４０ａの後端は、受け皿３２底面に連続している一方、傾斜面４０ａの前端は、前壁３２ａの上縁際まで達している。
【００１８】
ここで、上記案内部材４０の作用について説明する。
貯留皿８に遊技球が排出されると、遊技球は受け皿３２の底部、すなわち案内部材４０の後方でスライド板３８の上方に貯まる。この遊技球を遊技者が掴み出すにあたっては、案内部材４０の傾斜面４０ａに沿って指等で押さえながら遊技球を掻き出し、前壁３２ａを越える際に掴んでやればよい。このとき、傾斜面４０ａの後端（下端）が受け皿３２底面に連続しており、且つ、傾斜面４０ａの前端（上端）が前壁３２ａの上縁際まで達しているため、傾斜面４０ａを利用することで受け皿３２内にある遊技球をスムーズに掻き出し、掴むことができる。また、案内部材４０がスライド板３８の前方に位置しているため、スライド板３８の上方に貯まっている遊技球をスムーズに傾斜面４０ａ上へ導くことができる。さらに、傾斜面４０ａの左右両側縁に凸条部４１、４１が設けられているため、掻き出している途中で遊技球が傾斜面４０ａからこぼれ落ちる事態が抑制される。さらにまた、案内部材４０の側面４０ｂと前壁３２ａの内面との間に形成されている隅部に指等を位置させることで、たとえ遊技球が凸条部４１、４１を越えてこぼれ落ちたとしても指等で受けることが可能であり、一連の動作で多くの遊技球を効率良く掴み出すことができる。加えて、傾斜面４０ａの形状が平面視台形状（前端が後端よりも幅広となる）に形成されているため、傾斜面４０ａ上を掻き出す際に、後端近傍では上下方向で重なりあっていた遊技球が傾斜面４０ａの前端近傍で平坦にならされて拡がったとしてもこぼれ落ちにくくなっている。
【００１９】
以上、本発明のパチンコ機１によれば、受け皿３２の前縁に、受け皿３２底面から前方へ上昇する傾斜面４０ａを備えた案内部材４０を設けているため、傾斜面４０ａを利用することで受け皿３２内にある遊技球をスムーズに掴み出すことができる。
また、案内部材４０を、球抜き孔３６の前方となる位置に設けているため、受け皿３２の底部となるスライド板３８の上方に貯まっている遊技球をスムーズに傾斜面４０ａ上へ導くことができる。さらに、案内部材４０を、内部に空間を有するカバー状に形成するとともに、ボタン３７の後方となる位置に設けているため、案内部材４０を設置したことにより形成される空間内に、ボタン３７からスライド板３８にかけてのスライド機構を位置させることができ、空間の有効利用を図った合理的な構成とすることができる。
【００２０】
さらにまた、傾斜面４０ａの左右両側縁に凸条部４１、４１を設けているため、掻き出している途中で遊技球が傾斜面４０ａからこぼれ落ちる事態を抑制することができ、一回の動作で多くの遊技球を掴み出すことが可能となる。
またさらに、案内部材４０の側面４０ｂが前壁３２ａの内面から後方へ突出した形状となっており、案内部材４０の側面４０ｂと前壁３２ａの内面との間に隅部が形成されているため、当該隅部に指等を位置させることで、たとえ遊技球が凸条部４１、４１を越えてこぼれ落ちたとしても指等で受けることが可能であり、一連の動作で多くの遊技球を効率良く掴み出すことができる。
加えて、傾斜面４０ａの形状を、前端が後端よりも幅広となる平面視台形状に形成しているため、遊技球を掻き出す際に、傾斜面４０ａの後端近傍では上下方向で重なりあっていた遊技球が、傾斜面４０ａの前端近傍で平坦にならされて拡がったとしても、傾斜面４０ａ上からこぼれ落ちにくい。したがって、パチンコホールの床面等に遊技球を取り落としたりすることなく掴み出すことが可能となる。
【００２１】
なお、本発明のパチンコ機に係る構成は、上記実施形態の態様に何ら限定されるものではなく、皿部材や傾斜面を有する構成要素について、本発明の趣旨を逸脱しない範囲で、必要に応じて適宜変更することができる。
【００２２】
たとえば、上記実施形態では、受け皿３２に別途案内部材４０を設置する構成を採用しているが、一体成形によって傾斜面４０ａを受け皿３２の前壁３２ａ内面に設けてもよく、前壁３２ａの内面全てを後方へ向けて下降傾斜する傾斜面４０ａとしたり、前壁３２ａの内面右半分を傾斜面４０ａとしたりすることも可能である。また、案内部材４０を設置したり、前壁３２ａの内面の一部を傾斜面４０ａとしたりする際に、その位置についても適宜変更可能であって、球抜き孔３６の前方位置に何ら限定されない。さらに、案内部材４０（傾斜面４０ａ）の下方空間を利用して球抜き孔３６の開閉機構を設けることについても、必ずしもそうである必要はないし、球抜き孔３６の開閉機構については、スライド板３８でなくても何ら問題はない。加えて、傾斜面４０ａの形状も平面視台形状に限らず、平面視長方形又は正方形状であってもよい。
また、上記実施形態では、貯留皿８において傾斜面４０ａを設けているが、供給皿５に適用することも当然可能であるし、皿部材が１つしかない（すなわち、供給皿しか備えていない）タイプのパチンコ機にも当然適用可能である。
【符号の説明】
【００２３】
１・・パチンコ機、８・・貯留皿（皿部材）、３１・・基台、３２・・受け皿、３２ａ・・前壁（前縁）、３２ｂ・・側壁、３３・・排出口、３６・・球抜き孔、３７・・ボタン、３８・・スライド板（開閉部材）、４０・・案内部材、４０ａ・・傾斜面、４１・・凸条部、５０・・バネ（開閉機構）。
【図１】
2010246606.tif 000003
【図２】
2010246606.tif 000004
【図３】
2010246606.tif 000005
【図４】
2010246606.tif 000006
【図５】
2010246606.tif 000007
【図６】
2010246606.tif 000008